(57)【要約】【目的】異なる内径の開口部を有する複数種のチューブ形検体容器に対しても共通に使用可能である等の利点を有するチューブ形検体容器用の栓を提供。【構成】このチューブ形検体容器用の栓２０は、チューブ形検体容器１０の開口部１１内に緊挿される挿入部２１と、この挿入部２１に連なり前記開口部１１の端縁に密着可能な平坦面Ｈを有する閉塞部２２と、この閉塞部２２に連なり前記挿入部２１を前記開口部１１に対して挿脱操作する操作部２３とを備え、前記挿入部２１は弾性変形可能な液蜜性部材で形成され、円筒体Ａの外周面に、前記チューブ形検体容器１０の開口部１１の内周面に対し周辺部が液蜜に圧接可能なフランジ状円環部Ｂ（Ｂ１，Ｂ２）を突設されたものであることを主たる特徴としている。【選択図】    図１
2004189265.tif 000002
【特許請求の範囲】
【請求項１】
チューブ形検体容器の開口部内に緊挿される挿入部と、この挿入部に連なり前記開口部の端縁に密着可能な平坦面を有する閉塞部と、この閉塞部に連なり前記挿入部を前記開口部に対して挿脱操作する操作部とを備え、
前記挿入部は弾性変形可能な液蜜性部材で形成され、円筒体の外周面に、前記チューブ形検体容器の開口部の内周面に対し周辺部が液蜜に圧接可能なフランジ状円環部を突設されたものであることを特徴とするチューブ形検体容器用の栓。
【請求項２】
前記フランジ状円環部は、挿入先端側が先細な傘形をなしていることを特徴とする請求項１に記載のチューブ形検体容器用の栓。
【請求項３】
前記フランジ状円環部は、所定間隔をおいて二箇所以上に突設されていることを特徴とする請求項１又は２に記載のチューブ形検体容器用の栓。
【請求項４】
前記挿入部及び閉塞部及び操作部は、ポリプロピレン樹脂で一体成形されていることを特徴とする請求項１または２または３に記載のチューブ形検体容器用の栓。
【発明の詳細な説明】
【０００１】
【発明の属する技術分野】
本発明は、血液や尿などの検体を入れるチューブ形検体容器（所謂試験管などを含む容器）の開口部を閉塞するためのチューブ形検体容器用の栓に関する。
【０００２】
【従来の技術】
血液や尿などの検体を入れたチューブ形検体容器を保管する場合、検体の蒸発を防ぐと共に外部から異物が混入するのを避けるため、当該検体容器の開口部は栓で密閉される。チューブ形検体容器とりわけ検体検査に用いられる検体容器としては、使用目的に応じて種々のサイズのものが使用される。このため上記栓のサイズもそれらに合わせて種々のものが用意される。
【０００３】
従来のこの種の栓として、検体容器である試験管の開口部に対し、円柱状の圧入部を着脱自在に挿入可能とした試験管用栓（特許文献１参照）は公知である。
【０００４】
【特許文献１】
特開２００１−１５８４５０公報（段落［００１５］、図１）
【０００５】
【発明が解決しようとする課題】
上記公報に開示されている試験官用栓では、円柱状の圧入部が円滑な外周面を有している事から、その外径が試験管の開口部内径に適合するものを用いない限り不具合が生じる。
【０００６】
すなわち開口部の内径が例えば１０ｍｍの試験管に対し、圧入部の外径が１１ｍｍの栓を使用すると、上記圧入部は試験管の開口部に入らない。逆に開口部の内径が例えば１１ｍｍの試験管に対し、圧入部の外径が１０ｍｍ用の栓を使用すると、上記圧入部は試験管の開口部に極めてルーズな状態で挿入される。ない。その結果、試験管の開口部を十分に密閉できず、検体の蒸発を招いたり、極端な場合には栓が脱落して検体を飛散させてしまう等の虞がある。
【０００７】
本発明は、上記事情を考慮してなされたものであり、その目的は下記のような利点を有するチューブ形検体容器用の栓を提供することにある。
【０００８】
ａ．異なる内径の開口部を有する複数種のチューブ形検体容器に対しても共通に使用可能である。
【０００９】
ｂ．構成が簡単で製作は容易である。
【００１０】
【課題を解決するための手段】
上記課題を解決し目的を達成するために、本発明のチューブ形検体容器用の栓は、下記のような特徴ある構成を有している。なお下記以外の特徴ある構成については実施形態の中で明らかにする。
【００１１】
本発明のチューブ形検体容器用の栓は、チューブ形検体容器の開口部内に緊挿される挿入部と、この挿入部に連なり前記開口部の端縁に密着可能な平坦面を有する閉塞部と、この閉塞部に連なり前記挿入部を前記開口部に対して挿脱操作する操作部とを備え、前記挿入部は弾性変形可能な液蜜性部材で形成され、円筒体の外周面に、前記チューブ形検体容器の開口部の内周面に対し周辺部が液蜜に圧接可能なフランジ状円環部を突設されたものであることを特徴としている。
【００１２】
上記チューブ形検体容器用の栓においては、挿入部をチューブ形検体容器の開口部内に挿入すると、フランジ状円環部が上記開口部の内周面によって軸心方向へ圧縮された状態を呈する。このとき円筒体の一部も若干弾性変形する。その結果、上記円環部の周辺部が開口部の内周面に対し液蜜に圧接した状態になる。同時に閉塞部の平坦面が前記開口部の端縁に対し密着した状態になる。従ってチューブ形検体容器の開口部は十分良好に密閉される。
【００１３】
このときチューブ形検体容器の開口部内に挿入された上記フランジ状円環部は、上記検体容器の開口部の内径サイズに応じて、軸心方向への圧縮量すなわち弾性変形量を大幅に変化させる。このため上記フランジ状円環部の外径が、検体容器の開口部の内径と或る程度異なっていても、上記開口部を液蜜状態に安定に密閉することが可能となる。
【００１４】
【実施形態】
図１の（ａ）（ｂ）（ｃ）は、本発明の一実施形態に係るチューブ形検体容器用の栓の構成を示す図であり、（ａ）は上記栓を所定サイズの開口部内径を有するチューブ形検体容器１０へ適用した例を示す側面図であり、（ｂ）は上記栓の左半面を切断して示す側面図、（ｃ）は上記栓の挿入先端側から見た端面図である。
【００１５】
図１の（ａ）（ｂ）（ｃ）に示すチューブ形検体容器１０は、開口部内径が例えば１０ｍｍ程度のレギュラーサイズを有する所謂試験管である。上記検体容器１０の開口部１１には、この開口部を密閉するように栓２０が装着されている。
【００１６】
前記栓２０は、少なくとも弾性変形が可能な液蜜性部材、例えば、ポリプロピレン樹脂にて一体成形されている。この栓２０は、チューブ形検体容器１０の開口部１１内に緊挿される挿入部２１と、この挿入部２１に連なり前記開口部１１の端縁に密着可能な平坦面Ｈを有するディスク状の閉塞部２２と、この閉塞部２２に連なり前記挿入部２１を前記開口部１１に対して挿脱操作する同じくディスク状をなす操作部２３とを備えている。上記閉塞部２２と操作部２３との間には、操作部２３を摘み易くするための環状溝２４が形成されている。
【００１７】
前記挿入部２１は、内部に中空部Ｇを有する円筒体Ａの外周面に、前記チューブ形検体容器１０の開口部１１の内周面に対し周辺部が液蜜に圧接可能な二つのフランジ状円環部Ｂ（Ｂ１，Ｂ２）を突設したものとなっている。二つのフランジ状円環部Ｂ（Ｂ１，Ｂ２）は、いずれも挿入先端側が先細な傘形をなしており、かつ軸方向に沿って所定間隔をあけて設けられている。上記フランジ状円環部Ｂ（Ｂ１，Ｂ２）の肉厚寸法は、十分な弾性変形が可能なように、例えば０．５５ｍｍ  ないし０．７５ｍｍ程度（好ましくは０．６５ｍｍ）に設定されている。
【００１８】
本実施形態のチューブ形検体容器用の栓２０は、その挿入部２１が、円筒体Ａの外周面に大幅な弾性変形が可能な二つのフランジ状円環部Ｂ（Ｂ１，Ｂ２）を所定間隔で設けたものとなっている。このため、検体容器１０の開口部１１の内径がレギュラーサイズと異なっていても、同一サイズの栓２０を用いて十分な液蜜性をもって安定に密閉可能となる。
【００１９】
（実施形態における特徴点）
［１］実施形態に示されたチューブ形検体容器用の栓２０は、
チューブ形検体容器１０の開口部１１内に緊挿される挿入部２１と、この挿入部２１に連なり前記開口部１１の端縁に密着可能な平坦面Ｈを有する閉塞部２２と、この閉塞部２２に連なり前記挿入部２１を前記開口部１１に対して挿脱操作する操作部２３とを備え、
前記挿入部２１は弾性変形可能な液蜜性部材で形成され、円筒体Ａの外周面に、前記チューブ形検体容器１０の開口部１１の内周面に対し周辺部が液蜜に圧接可能なフランジ状円環部Ｂ（Ｂ１，Ｂ２）を突設されたものであることを特徴としている。
【００２０】
上記チューブ形検体容器用の栓２０においては、挿入部２１をチューブ形検体容器１０の開口部１１内に挿入すると、フランジ状円環部Ｂ（Ｂ１，Ｂ２）が上記開口部１１の内周面によって軸心方向へ圧縮された状態を呈する。このとき円筒体Ａの一部も若干弾性変形する。その結果、上記円環部Ｂ（Ｂ１，Ｂ２）の周辺部が開口部１１の内周面に対し液蜜に圧接した状態になる。同時に閉塞部２２の平坦面Ｈが前記開口部１１の端縁に対し密着した状態になる。従ってチューブ形検体容器１０の開口部は、十分良好に密閉される。
【００２１】
このときチューブ形検体容器１０の開口部１１内に挿入された上記フランジ状円環部Ｂ（Ｂ１，Ｂ２）は、上記検体容器１０の開口部１１の内径サイズに応じて、軸心方向への圧縮量すなわち弾性変形量を大幅に変化させる。このため上記フランジ状円環部Ｂ（Ｂ１，Ｂ２）の外径が、検体容器１０の開口部１１の内径と或る程度（±０．５〜１．０ｍｍ程度）異なっていても、上記開口部１１を液蜜状態に安定に密閉することが可能となる。実験例によれば、フランジ状円環部Ｂ（Ｂ１，Ｂ２）の外径を１０．５ｍｍ  に設定された栓２０は、検体容器１０の開口部内径が１０ｍｍのものに対しても、１１ｍｍ  のものに対しても、何ら支障なく共通に使用可能であることが確認された。
【００２２】
［２］実施形態に示されたチューブ形検体容器用の栓２０は、前記［１］に記載のチューブ形検体容器用の栓であって、
前記フランジ状円環部Ｂ（Ｂ１，Ｂ２）は、挿入先端側が先細な傘形をなしていることを特徴としている。
【００２３】
上記チューブ形検体容器用の栓２０においては、フランジ状円環部Ｂ（Ｂ１，Ｂ２）が、挿入先端側が先細な傘形をなしていることから、挿入しやすく抜けにくいものとなる。つまりこの形態は、開口部１１の内径が若干異なっている検体容器１０に対し、同一サイズの栓を共用する場合において、その適応性が向上するため大変好都合である。
【００２４】
［３］実施形態に示されたチューブ形検体容器用の栓２０は、前記［１］又は［２］に記載のチューブ形検体容器用の栓であって、
前記フランジ状円環部Ｂ（Ｂ１，Ｂ２）は、所定間隔をおいて二箇所以上に突設されていることを特徴としている。
【００２５】
上記チューブ形検体容器用の栓２０においては、複数の円環部Ｂ１，Ｂ２が多重に液漏れ防止性能に寄与する。このため内径サイズが異なる検体容器１０に適用した場合の液蜜性不足を補償し得るものとなる。
【００２６】
［４］実施形態に示されたチューブ形検体容器用の栓２０は、前記［１］又は［２］または［３］に記載のチューブ形検体容器用の栓であって、
前記挿入部２１及び閉塞部２２及び操作部２３は、ポリプロピレン樹脂で一体成形されていることを特徴としている。
【００２７】
上記チューブ形検体容器用の栓２０においては、弾性変形特性、液密性、対薬品性、耐熱性などに優れたものを容易に製作可能である。
【００２８】
【発明の効果】
本発明によれば、下記のような作用効果を奏するチューブ形検体容器用の栓を提供できる。
【００２９】
ａ．挿入部が、円筒体の外周面に、液密性を有し且つ大幅な弾性変形が可能なフランジ状円環部を設けたものとなっているため、異なる内径の開口部を有する複数種のチューブ形検体容器に対しても共通に使用可能である。
【００３０】
ｂ．構成が簡単で製作は容易である。
【図面の簡単な説明】
【図１】本発明の一実施形態に係るチューブ形検体容器用の栓の構成を適用する検体容器と共に示す図で、（ａ）はチューブ形検体容器への適用例を示す側面図、（ｂ）は上記栓の左半面を切断して示す側面図、（ｃ）は上記栓の挿入先端側から見た端面図である。
【符号の説明】
１０  チューブ形検体容器（試験管）
１１  開口部
２０  チューブ形検体容器用の栓
２１  挿入部
２２  ディスク状の閉塞部
２３  ディスク状の操作部
２４  環状溝
Ａ  円筒体    Ｂ（Ｂ１，Ｂ２）  フランジ状円環部
【図１】
2004189265.tif 000003